(57)【要約】本発明は、ポータブル電子装置（１１４）内の少なくとも１つのデータ・コンテンツ・ファイルに関するステータス情報をユーザに供給する方法、コンテンツ・ステータス情報供給装置（１００）、ポータブル電子装置（１１４）、コンピュータ・プログラム（５０）及びコンピュータ・プログラム・エレメントに関する。上記方法は、バッテリ容量値を取得する工程（工程２０６）と、少なくとも１つのデータ・コンテンツ・ファイルのコンテンツ関連情報を取得する工程（工程２１４、２１６）と、少なくとも１つのデータ・コンテンツ・ファイルに関する取得バッテリ容量に応じて少なくとも１つのデータ・コンテンツ・ファイルのコンテンツ・ステータスを判定する工程（工程２２２、２２６、２３３、２３４）と、少なくとも１つのデータ・コンテンツ・ファイルのステータスをポータブル電子装置（１１４）のユーザが知ることが可能なように、判定されたコンテンツ・ステータスに関する情報をユーザに供給する工程（工程２２４）とを備える。
2008513872.tif 000002
【特許請求の範囲】
【請求項１】
ポータブル電子装置内の少なくとも１つのデータ・コンテンツ・ファイルに関するステータス情報をユーザに供給する方法であって、
バッテリ容量値を取得する工程と、
少なくとも１つのデータ・コンテンツ・ファイルのコンテンツ関連情報を取得する工程と、
前記少なくとも１つのデータ・コンテンツ・ファイルに関する取得バッテリ容量に応じて前記少なくとも１つのデータ・コンテンツ・ファイルのコンテンツ・ステータスを判定する工程と、
前記少なくとも１つのデータ・コンテンツ・ファイルのステータスを前記ポータブル電子装置のユーザに知らせることが可能なように、
前記判定されたコンテンツ・ステータスに関する情報をユーザに供給する工程とを備える方法。
【請求項２】
請求項１記載の、ステータス情報を供給する方法であって、前記コンテンツ関連情報は、前記少なくとも１つのデータ・コンテンツ・ファイルの容量に関する情報を備える、ステータス情報を供給する方法。
【請求項３】
請求項１記載の、ステータス情報を供給する方法であって、前記コンテンツ関連情報は、前記少なくとも１つのデータ・コンテンツ・ファイルのファイル形式に関する情報を備える、ステータス情報を供給する方法。
【請求項４】
請求項１記載の方法であって、前記取得されたバッテリ容量値と、少なくとも、前記少なくとも１つのデータ・コンテンツ・ファイルのファイル形式の場合の電力消費に関する情報とに応じて消費容量を取得する工程を更に備える方法。
【請求項５】
請求項４記載の方法であって、判定された消費容量、及び前記少なくとも１つのデータ・コンテンツ・ファイルの前記取得容量に応じて容量関連の規制値を判定する工程を更に備える方法。
【請求項６】
請求項５記載の方法であって、前記コンテンツ・ステータスを判定する工程は、前記容量関連の規制値に対して、ユーザにアクセス可能な少なくとも１つのデータ・コンテンツ・ファイルの量を判定する工程を備える方法。
【請求項７】
請求項５記載の方法であって、前記コンテンツ・ステータスを判定する工程は、前記容量関連の規制値が第１の閾値以上の場合に、前記少なくとも１つのデータ・コンテンツ・ファイル全部の量がユーザにアクセス可能であるというステータスを判定する工程を備える方法。
【請求項８】
請求項５記載の方法であって、前記コンテンツ・ステータスを判定する工程は、前記容量関連の規制値が第１の閾値未満の場合に、ユーザにアクセス可能である少なくとも１つのデータ・コンテンツ・ファイルの部分的な量を判定する工程を備える方法。
【請求項９】
請求項１記載の方法であって、前記取得バッテリ容量値が、第１のバッテリ閾値未満でありかつ第２のバッテリ閾値以上であるか否かを判定する工程を更に備える方法。
【請求項１０】
請求項９記載の方法であって、前記コンテンツ・ステータスを判定する工程は、前記取得バッテリ容量値が前記第１のバッテリ閾値未満でありかつ前記第２のバッテリ閾値以上である場合、前記少なくとも１つのコンテンツ・データ・ファイルがユーザにロックされているというステータスを判定する方法。
【請求項１１】
請求項９記載の方法であって、前記コンテンツ・ステータスを判定する工程は、前記取得バッテリ容量値が前記第２のバッテリ閾値未満である場合、前記少なくとも１つのコンテンツ・データ・ファイルが失われているというステータスを判定する方法。
【請求項１２】
ポータブル電子装置内の少なくとも１つのデータ・コンテンツ・ファイルに関するステータス情報をユーザに供給するコンテンツ・ステータス情報供給装置であって、
バッテリに関するバッテリ容量値を取得するよう構成されたバッテリ・レベル比較装置と、
前記バッテリ・レベル比較装置に接続され、少なくとも１つのデータ・コンテンツ・ファイルのコンテンツ関連情報を取得し、前記バッテリ容量値と、前記少なくとも１つのデータ・コンテンツ・ファイルの取得コンテンツ関連情報とに応じてコンテンツ・ステータスを判定し、前記判定コンテンツ・ステータスをデータ提示装置に供給するよう構成されたコンテンツ・ステータス判定装置と、
前記バッテリ・レベル比較装置及び前記コンテンツ判定装置に接続され、
前記少なくとも１つのデータ・コンテンツ・ファイルのコンテンツ・ステータスを前記ポータブル電子装置のユーザに知らせることが可能なように、
前記バッテリ容量値を取得することと、コンテンツ関連情報を取得することと、前記コンテンツ・ステータスを判定することと、前記判定されたコンテンツ・ステータスに関する情報を供給することとを制御するよう構成された制御装置とを備えるコンテンツ・ステータス情報供給装置。
【請求項１３】
請求項１２記載のコンテンツ・ステータス情報供給装置であって、前記コンテンツ・ステータス判定装置が更に、前記取得された容量値と、少なくとも、前記少なくとも１つのデータ・コンテンツ・ファイルのファイル形式の場合の電力消費に関する情報とに応じて消費容量を取得するよう構成されるコンテンツ・ステータス情報供給装置。
【請求項１４】
請求項１３記載のコンテンツ・ステータス情報供給装置であって、前記コンテンツ・ステータス判定装置が、判定された消費容量と、前記少なくとも１つのデータ・コンテンツ・ファイルの前記取得容量とに応じて、容量関連の規制量を判定するよう構成されるコンテンツ・ステータス情報供給装置。
【請求項１５】
請求項１４記載のコンテンツ・ステータス情報供給装置であって、前記コンテンツ・ステータス判定装置は、前記容量関連の規制値に対して、ユーザにアクセス可能な少なくとも１つのデータ・コンテンツ・ファイルの量を判定するよう構成されるコンテンツ・ステータス情報供給装置。
【請求項１６】
請求項１４記載のコンテンツ・ステータス情報供給装置であって、前記コンテンツ・ステータス判定装置は、前記容量関連の規制値が第１の閾値以上の場合に、前記少なくとも１つのデータ・コンテンツ・ファイル全部の量がユーザにアクセス可能であるというステータスを判定するよう構成されるコンテンツ・ステータス情報供給装置。
【請求項１７】
請求項１４記載のコンテンツ・ステータス情報供給装置であって、前記コンテンツ・ステータス判定装置は、前記容量関連の規制値が第１の閾値未満の場合に、ユーザにアクセス可能である前記少なくとも１つのデータ・コンテンツ・ファイルの部分的な量を判定するよう構成されるコンテンツ・ステータス情報供給装置。
【請求項１８】
請求項１２記載のコンテンツ・ステータス情報供給装置であって、前記バッテリ・レベル比較装置は更に、前記取得バッテリ容量値が第１のバッテリ閾値未満でありかつ第２のバッテリ閾値以上であるか否かを判定するよう構成されるコンテンツ・ステータス情報供給装置。
【請求項１９】
請求項１８記載のコンテンツ・ステータス情報供給装置であって、前記コンテンツ・ステータス判定装置は、前記取得バッテリ容量値が前記第１のバッテリ閾値未満でありかつ前記第２のバッテリ閾値以上である場合、前記少なくとも１つのコンテンツ・データ・ファイルがユーザにロックされているというステータスを判定するよう構成されるコンテンツ・ステータス情報供給装置。
【請求項２０】
請求項１８記載のコンテンツ・ステータス情報供給装置であって、前記コンテンツ・ステータス判定装置は、前記取得バッテリ容量値が前記第２のバッテリ閾値未満である場合、前記少なくとも１つのコンテンツ・データ・ファイルが失われているというステータスを判定するよう構成されるコンテンツ・ステータス情報供給装置。
【請求項２１】
ポータブル電子装置内の少なくとも１つのデータ・コンテンツ・ファイルに関するステータス情報をユーザに供給するコンテンツ・ステータス情報供給装置を備えるポータブル電子装置であって、
バッテリに関するバッテリ容量値を取得するよう構成されたバッテリ・レベル比較装置と、
前記バッテリ・レベル比較装置に接続され、少なくとも１つのデータ・コンテンツ・ファイルのコンテンツ関連情報を取得し、前記バッテリ容量値と、前記少なくとも１つのデータ・コンテンツ・ファイルのコンテンツ関連情報とに応じてコンテンツ・ステータスを判定し、前記判定コンテンツ・ステータスをデータ提示装置に供給するよう構成されたコンテンツ・ステータス判定装置と、
前記バッテリ・レベル比較装置及び前記コンテンツ判定装置に接続され、
前記少なくとも１つのデータ・コンテンツ・ファイルのコンテンツ・ステータスを前記ポータブル電子装置のユーザに知らせることが可能なように、
前記バッテリ容量値を判定することと、コンテンツ関連情報を取得することと、前記コンテンツ・ステータスを判定することと、前記判定されたコンテンツ・ステータスに関する情報を供給することとを制御するよう構成された制御装置とを備えるポータブル電子装置。
【請求項２２】
コンピュータ・プログラムであって、コンピュータ・プログラム・コード手段がポータブル電子装置にロードされると、
バッテリ容量値を取得する工程と、
少なくとも１つのデータ・コンテンツ・ファイルのコンテンツ関連情報を取得する工程と、
前記少なくとも１つのデータ・コンテンツ・ファイルのステータスを前記ポータブル電子装置のユーザに知らせることが可能なように、
前記少なくとも１つのデータ・コンテンツ・ファイルに関する取得バッテリ容量に応じてコンテンツ・ステータス情報を判定する工程と、生成されたコンテンツ・ステータス情報をユーザに供給する工程とを前記ポータブル電子装置に実行させるためのコンピュータ・プログラム・コード手段を有するコンピュータ読み取り可能な媒体を備えるコンピュータ・プログラム。
【請求項２３】
コンピュータ・プログラム・エレメントであって、
バッテリ容量値を取得する工程と、
少なくとも１つのデータ・コンテンツ・ファイルのコンテンツ関連情報を取得する工程と、
前記少なくとも１つのデータ・コンテンツ・ファイルのステータスをポータブル電子装置のユーザに知らせることが可能なように、
前記少なくとも１つのデータ・コンテンツ・ファイルに関する取得バッテリ容量に応じてコンテンツ・ステータス情報を判定する工程と、
生成されたコンテンツ・ステータス情報をユーザに供給する工程とを前記ポータブル電子装置に実行させるためのコンピュータ・プログラム・コード手段を備えるコンピュータ・プログラム・エレメント。
【発明の詳細な説明】
【技術分野】
【０００１】
本発明は一般に、少なくとも１つのデータ・コンテンツ・ファイルに関するステータス情報を供給する方法に関し、特に、バッテリ容量に応じて少なくとも１つのデータ・コンテンツ・ファイルのコンテンツ・ステータスをユーザに供給する方法に関する。
【背景技術】
【０００２】
バッテリによって電源供給される種々のポータブル電子装置が市場で入手可能である。前述のポータブル電子装置は多くの場合、マルチメディア・コンテンツを有することができるタイプのメモリの局所記憶装置を有している。前述のコンテンツは、上記装置の記憶装置にロードし、後に（例えば、コンテンツを再生することによって）消費することが可能である。
【０００３】
今まで、不揮発性の理由で、フラッシュ・ベースのメモリが用いられた。しかし、フラッシュ・ベースのメモリは、例えば、ダイナミック・ランダム・アクセス・メモリ（DRAM）ベースのメモリに比較して幾分高い価格を有している。一方、前述のDRAMベースのメモリは揮発性を有している。すなわち、メモリに供給される電力が特定の低レベル閾値に（例えば、電力の消費によって、又は単に電源を落とすことによって）低下する場合に、データ・コンテンツが失われる。
【０００４】
前述の通り、メモリに供給される電力が、低下する際に低レベル閾値に達した場合、データ・コンテンツが失われる。しかし、データ・コンテンツが失われることを回避するために、データ保持電力閾値も用いることができる。メモリに供給される電力がまずこのデータ保持データ閾値に達すると、電力は節約され、DRAMベースのメモリに供給されてメモリをリフレッシュし、よってデータが失われることが回避される。この保持状態では、データはユーザにアクセス可能でなく、むしろデータはロックされている。しかし、バッテリに供給される電力が更に低下し、低レベル閾値に達した場合、データはしかし、失われる。
【０００５】
用いられるバッテリのレベル又は容量を通信するためのいくつかのやり方が存在している。
【０００６】
Seng  Pao  Xiongによる「Method  for  determining  when  a  smart  battery  is  discharged  below  it's  critical  low  capacity」に開示されている、LED表示の機能を用いることによってユーザに容量を通信するための１つの方法では、ホスト装置はバッテリの容量を判定することが可能である。
【０００７】
前述の通信方法はよって、前述のようにバッテリ容量に関する情報を通信する方法に関する。ユーザが調べたいことは、バッテリが切れる前に楽曲を聴くか、又は映画を観るのにバッテリ容量が十分か否かということである。よって、Seng  Pao  Xiongに開示されている方法では、何れかの利用可能なコンテンツ・ファイルに関する情報を通信しないので、欠点を有している。
【発明の開示】
【発明が解決しようとする課題】
【０００８】
本発明の目的は、得られたバッテリ電力容量に関する、少なくとも１つのデータ・コンテンツ・ファイルの利用可能性ステータスに関する情報をユーザに供給することである。
【課題を解決するための手段】
【０００９】
本発明の第１の局面によれば、この目的は、ポータブル電子装置内の、少なくとも１つのデータ・コンテンツ・ファイルに関するステータス情報をユーザに供給する方法によって達成される。上記方法は、バッテリ容量値を得る工程と、少なくとも１つのデータ・コンテンツ・ファイルのコンテンツ関連情報を取得する工程と、少なくとも１つのデータ・コンテンツ・ファイルに関する取得バッテリ容量に応じて少なくとも１つのデータ・コンテンツ・ファイルのコンテンツ・ステータスを判定する工程と、少なくとも１つのデータ・コンテンツ・ファイルのステータスをポータブル電子装置のユーザに知らせることが可能なように、判定されたコンテンツ・ステータスに関する情報をユーザに供給する工程とを備える。
【００１０】
本発明の第２の局面によれば、この目的は、ポータブル電子装置内の、少なくとも１つのデータ・コンテンツ・ファイルに関するステータス情報をユーザに供給するコンテンツ・ステータス情報供給装置によって達成される。上記コンテンツ・ステータス情報供給装置は、バッテリ容量値をバッテリから得るよう構成されたバッテリ・レベル比較装置と、バッテリ・レベル比較装置に接続され、少なくとも１つのデータ・コンテンツ・ファイルのコンテンツ関連情報を取得し、バッテリ容量と少なくとも１つのデータ・コンテンツ・ファイルの取得コンテンツ関連情報とに応じてコンテンツ・ステータスを判定し、判定コンテンツ・ステータスをデータ提示装置に供給するよう構成されたコンテンツ・ステータス判定装置と、バッテリ・レベル比較装置及びコンテンツ判定装置に接続され、バッテリ容量値を取得する工程と、コンテンツ関連情報を取得する工程と、コンテンツ・ステータスを判定する工程と、少なくとも１つのデータ・コンテンツ・ファイルのコンテンツ・ステータスをポータブル電子装置のユーザに知らせることが可能なように、判定されたコンテンツ・ステータスに関する情報を供給する工程とを制御するよう構成された制御装置とを備える。
【００１１】
本発明の第３の局面によれば、この目的は、ポータブル電子装置内の、少なくとも１つのデータ・コンテンツ・ファイルに関するステータス情報をユーザに供給するコンテンツ・ステータス情報供給装置を備えるポータブル電子装置によって達成される。上記ポータブル電子装置は、バッテリ容量値をバッテリから得るよう構成されたバッテリ・レベル比較装置と、バッテリ装置に接続され、少なくとも１つのデータ・コンテンツ・ファイルのコンテンツ関連情報を取得し、バッテリ容量値と少なくとも１つのデータ・コンテンツ・ファイルの取得コンテンツ関連情報とに応じてコンテンツ・ステータスを判定し、判定コンテンツ・ステータスをデータ提示装置に供給するよう構成されたコンテンツ・ステータス判定装置と、バッテリ・レベル比較装置及びコンテンツ判定装置に接続され、バッテリ容量値を取得する工程と、コンテンツ関連情報を取得する工程と、コンテンツ・ステータスを判定する工程と、少なくとも１つのデータ・コンテンツ・ファイルのコンテンツ・ステータスをポータブル電子装置のユーザに知らせることが可能なように、判定されたコンテンツ・ステータスに関する情報を供給する工程とを制御するよう構成された制御装置とを備える。
【００１２】
本発明の第４の局面によれば、この目的は、バッテリ容量値を得る工程と、少なくとも１つのデータ・コンテンツ・ファイルのコンテンツ関連情報を取得する工程と、少なくとも１つのデータ・コンテンツ・ファイルに関する取得バッテリ容量に応じてコンテンツ・ステータス情報を判定する工程と、少なくとも１つのデータ・コンテンツ・ファイルのステータスをポータブル電子装置のユーザに知らせることが可能なように、生成されたコンテンツ・ステータス情報をユーザに供給する工程とを、コンピュータ・プログラム・コード手段がポータブル電子装置にロードされるとポータブル電子装置に実行させるためにコンピュータ・プログラム・コード手段を有しているコンピュータ読み取り可能な媒体を備えるコンピュータ・プログラムによって達成される。
【００１３】
本発明の第５の局面によれば、この目的は、バッテリ容量値を得る工程と、少なくとも１つのデータ・コンテンツ・ファイルのコンテンツ関連情報を取得する工程と、少なくとも１つのデータ・コンテンツ・ファイルに関する取得バッテリ容量に応じてコンテンツ・ステータス情報を判定する工程と、少なくとも１つのデータ・コンテンツ・ファイルのステータスをポータブル電子装置のユーザに知らせることが可能なように、生成されたコンテンツ・ステータス情報をユーザに供給する工程とをポータブル電子装置に実行させるためのコンピュータ・プログラム・コード手段を備えるコンピュータ・プログラム・エレメントによって達成される。
【００１４】
本発明は以下の全体的な利点を有する。
【００１５】
バッテリ容量値に応じてコンテンツ・ステータスをユーザに供給することを本発明が提供することが、従来技術と比較した本発明の利点である。
【００１６】
ポータブル電子装置のコンテンツ自体のステータスをユーザが分かることが可能であることは更なる利点である。
【００１７】
従属請求項及びその利点の関係。
【００１８】
請求項４及び請求項１３は、得られたバッテリ電力容量値に対する消費容量を取得することに関する。
【００１９】
前述の請求項は、バッテリ電力容量が、得られたバッテリ電力容量によって消費可能なファイル容量に変換され、利用可能なデータ・コンテンツの容量との簡単な比較が可能になるという利点を有する。
【００２０】
請求項６、７、８、１５、１６及び１７は、ユーザにアクセス可能な少なくとも１つのデータ・コンテンツの量を判定することに関する。
【００２１】
少なくとも１つのデータ・コンテンツ・ファイルがどの程度までアクセス可能であるかという情報を供給することは利点である。これによって、データ・コンテンツ・ファイルが部分的にのみアクセス可能であるようにすることが可能になるからである。
【００２２】
容量関連の規制量が第１の閾値よりも小さい場合に、少なくとも１つのデータ・コンテンツ・ファイル全部の量がユーザにアクセス可能でないという情報を提供することも利点である。少なくとも１つのデータ・コンテンツ・ファイルがユーザにロックされている場合に、この情報を供給することができるからである。
【００２３】
請求項９、１０、１１，１８、１９及び２０は、得られたバッテリ容量を第１の閾値及び第２の閾値に関係付けることに関する。
【００２４】
前述の請求項は、バッテリ容量レベルが保持レベルに達したか、又はデータ喪失関連レベルに達したかというステータスが判定されるという利点を提供する。
【００２５】
本発明の趣旨は、ユーザに利用可能なコンテンツの程度によって、低バッテリ容量情報をユーザに供給することができることである。
【発明を実施するための最良の形態】
【００２６】
本発明の前述及びその他の局面は、以下で説明する実施例から明らかであり、そうした実施例を参照しながら明らかになるであろう。
【００２７】
本発明は次に、添付図面に関して更に詳細に説明する。
【実施例】
【００２８】
本発明は一般に、少なくとも１つのデータ・コンテンツ・ファイルに関するステータス情報を供給する方法に関し、特に、バッテリ容量に応じて少なくとも１つのデータ・コンテンツ・ファイルのコンテンツ・ステータスをユーザに供給する方法に関する。
【００２９】
ダイナミック・ランダム・アクセス・メモリ（DRAM）タイプのメモリを装備したポータブル電子装置は、メモリのコンテンツを喪失しないためにDRAMタイプのメモリに電力を供給し続けることが必要である。このタイプのメモリのコンテンツは、メモリへの電源供給をオフに切り替えることによってメモリのコンテンツが消去されるという意味で揮発性を有している。
【００３０】
DRAMタイプのメモリは、不揮発性フラッシュ・ベース・メモリよりも費用がかなり低いので、莫大な数の小型ポータブル装置における応用例を見出す潜在性を有している。
【００３１】
前述の小型ポータブル装置は一般に、電力を装置に供給するためのバッテリを有している。装置の電力消費が理由で、バッテリ電力レベルは、装置を使用すると低下する。
【００３２】
更に、大容量ファイルの完全な消費には、小容量ファイルの完全な消費よりも多くのバッテリ電力が必要である。大容量ファイルは一般に、より長い持続時間内に消費されるからである。更に、ファイル・タイプ又はファイル形式は重要な役割を演じる。例えば、ビデオ形式のファイルは、ファイル消費中にも電力がディスプレイに供給されることを必要とするからである。更に、別々のファイル処理装置（mp3処理装置やビデオ形式処理装置など）は、本質的には、異なる電力量を消費する。別々のファイルはよって、異なるバッテリ電力量を時間間隔毎、又は消費データのキロバイト毎に必要とし得る。前述の消費量は、（例えば、処理装置及びディスプレイが消費する電力量を）算出、測定することにより、又は監視することにより、装置毎に容易に得ることが可能であるので、特定のバッテリ電力の場合に消費することが可能なコンテンツ・ファイル量の判定において考慮に入れられる。
【００３３】
バッテリ電力を消費すると、電力レベルは、特定の閾値（これを下回るとデータ・コンテンツ・ファイルはもうその全部を消費することが可能でなくなる）未満まで低下し得る。データ・コンテンツ・ファイルが、残っているバッテリ電力よりも多くのバッテリ電力を必要とするに過ぎないからである。しかし、ファイル全体をもう消費することが可能でなくても、ファイルの一部（残っているバッテリ電力容量によって変わってくる）はアクセス可能であり得る。最大容量のファイル（すなわち、消費するうえで最大バッテリ電力レベルを必要とするファイル）が最初に影響を受けることは言うまでもない。
【００３４】
バッテリ電力レベルが更に低下した場合、前述の理由で、（ファイルが存在している場合）ファイル全部をアクセスするには、残っているバッテリ容量は十分でないことが判定される。電力レベルの低下に伴って、残っているバッテリ容量によってアクセスすることが可能なデータ・ファイルの範囲は減少する。ユーザによってなおアクセスすることが可能なファイル部分の大きさは、ファイル単位で異なる。ファイルは通常、異なる容量を有しており、異なる形式も有し得るからである。
【００３５】
バッテリ電力レベルが更に低下した場合、バッテリ電力レベルは閾値（これを下回ると、メモリのコンテンツはユーザにアクセス不能である）を超え得る。コンテンツはユーザに対して、もうロックされている。バッテリを交換することによって、バッテリを充電することによって、外部の高電力源（電源プラグなど）に差し込むことによって、より高いバッテリ電力レベルによって電子ポータブル装置（例えば、本発明を有しているmp3プレイヤなど）が電源供給されない限り、前述のコンテンツはアクセス可能でない。残りのバッテリ電力容量は、何れの形式のファイル処理を起動させるにも低すぎるにすぎず、むしろバッテリ電力レベルは閾値（これを超えると、ユーザのメモリ・コンテンツを危険にさらさないようにするために、残りのバッテリ電力容量は節約され、揮発性メモリに電力を供給するのに用いられる）を超えている。
【００３６】
DRAMタイプのメモリは揮発性を有しているので、バッテリ電力レベルが更に低下し、ゼロに達した場合、メモリのリフレッシュの信頼度が高くなることを確実にするには残りのバッテリ電力容量は最終的に低くなり過ぎ、コンテンツは必然的に失われる。
【００３７】
本発明は、合計バッテリ容量のうちのどの程度の割合がなお利用可能であるかという数値を単に供給する（ユーザはこれを理解することを難しく思う）よりも、アクセスすることにユーザが関心のあるコンテンツのアクセス可能性に対するプレイヤのバッテリ容量に関する情報をポータブル電子装置（mp3プレイヤなど）のユーザに供給することができる。高バッテリ電力レベルは、全てのファイルの全部分をアクセスするのに十分である。一方、低バッテリ・レベルは、特定のファイルの全部分を消費するのに不十分であるか、又は、前述のファイルの一部を消費するのに十分であるかを示し得る。
【００３８】
本発明の一実施例によるポータブル電子装置の概略を図示する図１を参照して、本発明を更に詳細に説明する。
【００３９】
図１のポータブル電子装置１１４は、コンテンツ・ステータス情報供給装置１００、バッテリ１０８、DRAMタイプのメモリ１１０、及び情報提示装置１１２を備えている。バッテリ電力レベル比較装置１０４を備えているコンテンツ・ステータス情報供給装置は、バッテリ１０８に関するバッテリ電力容量を得るよう構成される。この例では、ポータブル電子装置１１４は、mp3ファイルなどのメディア・コンテンツ・ファイルを復号化するよう構成される専用コンテンツ処理装置である。他のタイプのメディア・コンテンツ・ファイル（mp2、ogg、wav、mod、xm、it、s3mやMSウィンドウズ（登録商標）・メディア（Windows（登録商標）  Media）オーディオ・ファイルなど）も復号化することができる。この例では、ポータブル電子装置１１４はよって、専用mp3オーディオ・プレイヤであるが、何れのポータブル電子装置（ポータブル・ビデオ・プレイヤ、ポータブル・コンピュータ等など）でもよい。
【００４０】
本発明には、厳密な、メモリ・タイプの要件は存在しない。しかし、少なくとも１つの揮発性メモリ（DRAMタイプのメモリなど）を装備したポータブル電子装置に関して例示する。
【００４１】
本発明を適用することが可能なこのタイプの種々のメモリの例には、シンクロナスＤＲＡＭ（ＳＤＲＡＭ）メモリ、ダブル・データ・レートＳＤＲＡＭ（ＤＤＲ‐ＳＤＲＡＭ）メモリやダブル・データ・レート２‐ＳＤＲＡＭ（DDR2‐SDRAM）メモリがある。
【００４２】
更に、コンテンツ・ステータス情報供給装置１００は、少なくとも１つのデータ・コンテンツ・ファイルのコンテンツ関連情報を得るよう構成されたコンテンツ・ステータス判定装置１０２と、コンテンツ・ステータス判定装置１０２に接続され、バッテリ容量を得るよう構成されたバッテリ・レベル比較装置１０４とを備えている。コンテンツ・ステータス情報供給装置は、コンテンツ・ステータス判定装置１０２及びバッテリ・レベル比較装置１０４に接続された制御装置１０６を更に備えており、制御装置１０６は、少なくとも１つのデータ・コンテンツ・ファイルのステータス情報をポータブル電子装置１１４（ここではmp3プレイヤ）のユーザに知らせることが可能であるようにコンテンツ・ステータス判定装置１０２及びバッテリ・レベル比較装置１０４の機能を制御するよう構成される。
【００４３】
前述の装置（すなわち、コンテンツ・ステータス判定装置１０２、バッテリ・レベル比較装置１０４及び制御装置１０６）それぞれの機能は、本発明の一実施例による、少なくとも１つのデータ・コンテンツ・ファイルに関するステータス情報を供給する方法の詳細な説明に関して以下に更に詳細に説明する。
【００４４】
本発明の一実施例に関する、少なくとも１つのデータ・コンテンツ・ファイルに関するステータス情報を供給する方法の流れ図と、本発明の一実施例による、上記方法における工程の簡単なタスク記述のリストとを示す図２及び表１を次に参照する。
【００４５】
【表１】
2008513872.tif 000003
本発明の一実施例による上記方法の第１の工程は、バッテリ電力比較装置１０４によってデータ保持バッテリ電力閾値ERETを得る工程（工程２０２）である。このデータ保持バッテリ電力閾値は、制御装置１０６から得ることができるか、又は、電子装置１１４のユーザ入力インタフェース（図示せず）を介して電子装置１１４のユーザから得ることができる。データをアクセスすることができる他の代替的な経路も考えられ得る。
【００４６】
この実施例による、コンテンツ・ステータス情報を供給する方法において備える特定の工程は、本発明の効果に影響を及ぼすことなく変えることができる。
【００４７】
図２における流れ図の後続工程は、バッテリ電力総容量値E0を得る工程（工程２０４）である。このバッテリ電力総容量値は、この例ではバッテリから直接得られるが、ポータブル電子装置１１４内の別の装置を介して得ることができる。上記方法の次の工程は、アクティビティ関連バッテリ電力容量Eを得る工程（工程２０６）である。ここで、Eは、工程２０４において得られるようなバッテリ電力総容量値から、データ保持バッテリ電力閾値ERETを減算した結果（すなわち、E=E0−ERET）に等しい。本発明のこの実施例によれば、工程２０６は、コンテンツ・ステータス情報供給装置１００のバッテリ・レベル比較装置１０４によって行われる。別の実施例によれば、このアクティビティ関連バッテリ電力容量Eは、コンテンツ・ステータス情報供給装置１００の外にあるが、ポータブル電子装置１１４内にある別の装置によって得ることができる。後続する工程は、E≧0であるか否かを判定する工程（工程２０８）である。この実施例では、この工程を行うのはバッテリ・レベル比較装置１０４である。しかし、工程２０４及び工程２０６の場合と同様に、前述の判定の役割を果たすポータブル電子装置１１４の他の装置も存在し得る。
【００４８】
アクティビティ関連バッテリ電力容量Eが0よりも大きいと判定された場合、利用可能なデータ形式（FORMAT）毎に単位容量毎（ｋB毎）の電力消費の情報EFORMATを得る工程（工程２１０）が実行される。電力消費情報を得るこの工程は、コンテンツ・ステータス判定装置１０２によって行われる。効果的には、電力消費情報は事前に（上記方法の実行する前に）記憶され、よって、電力消費情報は、本発明の一実施例における取得する工程においてアクセスされる。更に、コンテンツ・ステータス判定装置１０２によって得られるようなこの情報は、別の装置によって得ることができる。前述の通り、単位容量毎の電力消費は形式単位で変わり得る。その理由で、単位容量毎の電力消費は、利用可能であることが明らかになった利用可能デ―タ形式について得られる。
【００４９】
少なくとも１つのファイル形式の単位容量毎の電力消費へのアクセスを有していれば、形式毎の消費容量SFORMAT（SFORMAT=E/EFORMATとして定義される）を得る工程（工程２１２）が行われる。この工程では、よって、その容量のファイルの全体の消費中にメモリに電源供給するのにバッテリ電力容量Eが十分である各形式に関するその容量が得られる。
【００５０】
後に、メモリ１１０からのコンテンツ関連情報から少なくとも１つのデータ・コンテンツ・ファイルの容量FILESを得る工程（工程２１４）が、コンテンツ・ステータス判定装置１０２によって行われる。メモリ・コンテンツに関する容量情報は通常のパラメータである。このことは、容量情報が容易に入手可能であり、よって、これを得るために更なる変換処理を必要としないことを意味する。
【００５１】
少なくとも１つのデータ・コンテンツ・ファイルの形式FORMATが、少なくとも１つのデータ・コンテンツ・ファイルの形式を得る工程（工程２１６。やはり、メモリ１１０から得られるコンテンツ関連情報から、コンテンツ・ステータス判定装置１０２によって行われる）において得られる。
【００５２】
少なくとも１つのデータ・コンテンツ・ファイルのファイル容量FILES及びファイル形式FORMATを得れば、SR=SFORMAT/FILESとして定義される容量比SRを判定する工程（工程２１８）が、コンテンツ・ステータス判定装置１０２によって行われる。本発明のこの実施例では、アクティビティ関連バッテリ電力容量Eはよって、形式依存性容量SFORMATに変換される。この容量は、少なくとも１つのデータ・コンテンツ・ファイルの容量と比較される。
【００５３】
その後、容量比SRが1以上であるか否かを判定する工程（工程２２０）が、コンテンツ・ステータス判定装置１０２によって行われる。この容量比（SR）が１以上の場合、「全面的にアクセス可能である」にコンテンツ・ステータスを設定する後続工程（工程２２２）が、コンテンツ・ステータス判定装置１０２によって行われる。このコンテンツ・ステータス情報はその後、コンテンツ・ステータスをユーザに供給する工程（工程２２４。電子装置１１４の情報提示装置１１２によって行われる）においてユーザに提示される（表２を参照のこと）。
【００５４】
【表２】
2008513872.tif 000004
しかし、容量比SRが１未満の場合、「データ・コンテンツ・ファイルのSRがアクセス可能である」にコンテンツ・ステータスを設定する工程（工程２２６）は、コンテンツ・ステータス判定装置１０２によって行われる。この場合、容量比は、ユーザにアクセス可能なデータ・コンテンツ・ファイル部分に等しい。このコンテンツ・ステータス情報は次いで、上記段落で説明したように、以下の工程（工程２２４）においてユーザに提示される（表３を参照のこと）。
【００５５】
【表３】
2008513872.tif 000005
更に、前述の工程２１２によって、特定の形式FORMATの場合の単位容量毎のバッテリ電力消費にアクティビティ関連バッテリ電力容量Eを関係付け、よって、SFORMAT（バッテリ電力容量（又はサイズ）によって、メモリ内の記憶ファイルに関連する所要パラメータを有するバッテリ容量）を得ることの代替策は、ファイル形式毎にアクティビティ関連電力を消費分に変換し、ファイル全体、又はファイルの一部を消費するのに必要な分にファイル容量を変換し、その後、比較をコンテンツ・ステータス判定装置１０２によって行うことである。
【００５６】
種々のデータ・コンテンツ・ファイルのコンテンツ・ステータスは、本発明の種々の代替策による種々のやり方で提示することができる。提示装置１１２によって提示される情報は、ファイルの持続時間（この間、得られる都度、アクティビティ関連バッテリ容量からファイルを消費することが可能である）を備え得る。ファイルの総長又は総持続時間についての情報は、コンテンツ関連情報を得る工程においてメモリから直接得ることができ、又は、単位時間毎容量における消費レートが周知であるので、ファイルの容量の情報から算出することができる。
【００５７】
表４では、前述の情報は、２つのファイル（ビデオ・ファイルA及びオーディオ・ファイルB）に関して示している。ビデオ・ファイルAは、２５分間の持続時間に対応する２５％の量、アクセス可能である。アクティビティ関連バッテリ電力容量は、オーディオ・ファイルB全体を消費するのに十分な時間中に電子ポータブル装置に電源供給するのに十分である。オーディオ・ファイルBのアクセス可能性はよって、１００％（この例では、3分25秒の持続時間に対応する）である。
【００５８】
【表４】
2008513872.tif 000006
コンテンツ・ステータス情報の提示の更なる変形を表５に略示する。この情報は、提示されるファイルの総長も有している。この時間情報は、各ファイルのアクセス可能持続時間に関連している。
【００５９】
【表５】
2008513872.tif 000007
ポータブル電子装置のユーザに提示可能なコンテンツ・ステータス情報の更なる代替策を図３に示す。この図では、個別のファイルそれぞれのアクセス可能量を示すバーを示している。この情報では、ビデオ・ファイルCは、ビデオ・ファイルD(これ自体、ビデオ・ファイルEよりも容量が大きい)よりも容量が大きい。満たされている各バー部分は、持続時間全体それぞれの一部を示す。これは、利用可能なバッテリ電力容量によってアクセス可能である。ビデオ・ファイルCはビデオ・ファイルDよりも容量が大きいので、ビデオ・ファイルCのバーは、ビデオ・ファイルDのバーよりも短い。同様に、ビデオ・ファイルEのバーはビデオ・ファイルDのバーよりも長い。このビデオ・ファイルEが、ビデオ・ファイルDよりも短い総持続時間を有するからである。
【００６０】
DRAMベースのメモリにおいて利用可能なデータ・コンテンツ・ファイルのコンテンツ・ステータス情報を判定すれば、いくつかのオプションがよって、ユーザに上記情報を提示するのに利用可能である。本発明の更に別の実施例によれば、前述のコンテンツ・ステータス情報は、ファイル・システム内に備えることができる。ファイル・システムは、ファイルのブラウジングをユーザに対して容易にするために、又は別の理由で、ポータブル電子装置において利用可能であり得るので、コンテンツ・ステータスに関する情報を他のファイル属性（いくつかあげれば、アーチスト名、楽曲名、ファイル容量、持続時間、得られた日付、等など）と一緒に提示することが十分にできる。前述の通り、コンテンツ・ステータス情報は、カラー・コード・インディケータにより、アクセス可能なファイルの一部により、適切なファイルの消費可能時間長により、又は、それらの考えられる組み合わせにより、提示することができる。例えば、ファイル・システム内の更なる列によって、前述のコンテンツ・ステータス情報を好都合にユーザに提示することができる。
【００６１】
図２に示す方法の流れ図に戻れば、アクティビティ関連バッテリ電力容量E（E＝E0−ERETによって定義される）が工程２０８で負であると判定された場合、喪失コンテンツ関連バッテリ電力閾値ELOSTを得る工程（工程２２８）は、バッテリ・レベル比較装置１０４によって行われる。この喪失コンテンツ関連バッテリ電力閾値ELOSTは例えば、事前に制御装置１０６によって備え得るか、又は、バッテリ・レベル比較装置１０４の製造の段階中に備え得るものであり、適切な揮発性メモリのタイプに関する。
【００６２】
この喪失コンテンツ関連バッテリ電力閾値（ELOST）を得れば、アクティビティ関連バッテリ電力容量Eが、喪失コンテンツ関連バッテリ電力閾値ELOSTからデータ保持バッテリ電力閾値ERETを減算した結果以上であるか否か（すなわち、E≧ELOST-ERETであるか否か）を判定する工程（工程２３０）が、バッテリ・レベル比較装置１０４によって行われる。アクティビティ関連バッテリ電力容量Eが、喪失コンテンツ関連バッテリ電力閾値ELOSTからデータ保持バッテリ電力閾値ERETを減算した結果以上であると判定された場合、「データ・コンテンツがロックされている」にコンテンツ・ステータスを設定する工程（工程２３２）が、コンテンツ・ステータス判定装置１０４によって行われる（表６を参照のこと）。
【００６３】
【表６】
2008513872.tif 000008
工程２３０において、アクティビティ関連バッテリ電力容量Eが、喪失コンテンツ関連バッテリ電力閾値ELOSTからデータ保持バッテリ電力閾値ERETを減算した結果未満であると判定された場合、「データ・コンテンツ喪失」にコンテンツ・ステータスを設定する工程（工程２３４）が、コンテンツ・ステータス判定装置１０４によって行われる。前述の工程２３２及び工程２３４に後続して、やはり前述した、コンテンツ・ステータスをユーザに供給する工程（工程２２４）も続く。表７では、喪失コンテンツ・シナリオに関する情報が提示される。
【００６４】
【表７】
2008513872.tif 000009
本発明の別の一実施例では、代わりに、アクティビティ関連バッテリ電力容量が、利用可能なコンテンツ・ファイルのそれぞれのコンテンツ・ファイルを消費するのに十分であるか否かが判定される。特に、ユーザが、ファイル全体を消費することに関心がある場合、かつ、とりわけ、メモリ１１０内で利用可能なファイルが、消費される際に単位容量毎の同様なバッテリ電力消費に対応する1つ又は複数の同じ形式を有する場合、コンテンツが全面的にアクセス可能であるか、全面的にアクセス可能である訳でない（すなわち、ロックされている）かの表示は、利用可能なバッテリ電力容量を利用するための好適なやり方であり得る。前述の場合、提示装置１１２によって提示される情報は、概略的には、図４A乃至図4Cに表示されている情報に類似し得る。図４Aでは、コンテンツが全面的にアクセス可能であることを示している。２本の対角線を内部に有する箱は、GREEN（緑色）の光の表示のコードである。これは、提示装置１１２であるLEDダイオードによってユーザに伝達することができる。コンテンツがユーザにアクセス可能でない場合、情報の略示は、図４Bに示したものに類似し得る。箱内の1本の対角線は、YELLOW（黄色）の光表示（コンテンツがユーザにロックされていることを意味する）のコードである。しかし、コンテンツが失われたことが判定された場合、提示装置１１２によって提示される対象のコンテンツ・ステータス情報は、図４Cに示す情報に類似した、コード化されたやり方で表すことができる。このオープンな箱は、NO(いいえ)の光表示のコード、又は、あるいは、RED（赤色）の光表示のコードである。この実施例では、情報は視覚的に提示される。しかし、全体のコンテンツのステータスに関してユーザに提示される情報は、トーン、短音、「ピーピー」等などのオーディオ情報を提示することによって供給することができる。別の代替策によれば、情報は、振動によってユーザに提示することができる。当然、ポータブル電子装置のユーザにコンテンツのステータスを知らせることが可能であるようにコンテンツ・ステータス情報を供給するために、前述のタイプの情報の何れかの組み合わせをユーザに提示することができる。
【００６５】
この方法は通常、定期的に（例えば、ポータブル電子装置がユーザ入力をユーザから受け取る際に1分おきに）ポータブル電子装置によって実行される。３０秒おき、２分おき等などの他の時間間隔も適している。ポータブル電子装置がデータ・コンテンツ・ファイルをアクセスする場合、上記方法は、本発明の一実施例によれば、実行される定期性の度合いが低くなる。１つの代替策では、上記方法は、例えば、データ・コンテンツ・ファイルの消費中には実行されない。データ・コンテンツ・ファイルの消費が、例えば、ユーザによって停止されるか、終了する場合、上記方法は、ポータブル電子装置のユーザに更新ステータス情報を提示するために実行される。更に、本発明の一実施例によれば、ポータブル電子装置が、イナクティブ状態にある場合（すなわち、データ・コンテンツ・ファイルが何ら消費されず、ユーザ入力が何ら受け取られない場合）、方法は実行されない。
【００６６】
方法の実行頻度は更に、アクティビティ関連バッテリ電力容量によって変わってくることがあり得る。この別の実施例によれば、実行頻度は、アクティビティ関連バッテリ電力容量の一定の低下を伴って低下し得る。
【００６７】
図５は、コンピュータ・プログラム・コード手段を有する、本発明の一実施例によるコンピュータ・プログラムを略示する。
【００６８】
コンピュータ・プログラム上に備えられるコンピュータ・プログラム・コード手段が、コンピュータに、又は場合によってはポータブル電子装置自体にロードされると、上記コンピュータ、又は場合によっては、ポータブル電子装置自体は、バッテリ容量値を得る工程と、少なくとも１つのデータ・コンテンツ・ファイルのコンテンツ関連情報を取得する工程と、少なくとも１つのデータ・コンテンツ・ファイルに関する取得バッテリ容量に応じて少なくとも１つのデータ・コンテンツ・ファイルのコンテンツ・ステータスを判定する工程と、少なくとも１つのデータ・コンテンツ・ファイルのステータスをポータブル電子装置のユーザに知らせることが可能なように、判定されたコンテンツ・ステータスに関する情報をユーザに供給する工程とを実行する。
【００６９】
前述のコンピュータ・プログラムの一例は、CDーROMであるが、しかし、コンピュータに挿入可能な何れかの種類の読み取り可能ディスク（DVDディスク、MDディスクや何れかの他の種類のコンピュータ・プログラムなど）であり得る。コンピュータ・プログラムも、ポータブル・メモリ（フラッシュベースのメモリなど）であり得る。
【００７０】
コンピュータは通常、制御装置、メモリ装置及び入出力装置を備えている。
【００７１】
更に、本発明によるコンピュータ・プログラム・エレメントは、例えば、インターネットや何れかの他の有線ネットワーク又は無線ネットワークを介してサーバからダウンロードすることができる。上記及び以下に記載した通り、適切な使用状態におけるバッテリ電力消費に関する情報が、本発明によるポータブル電子装置に電源供給するために必要である。
【００７２】
コンテンツ・ステータス情報供給装置は、バッテリによって電源供給される種々のポータブル電子装置において既に利用可能であるようにシステム電力管理装置において実現することができる。しかし、コンテンツ・ステータス情報供給装置は、それ自身を一装置として実現することができるか、又は、ポータブル電子装置の制御装置に組み入れることもできる。
【００７３】
本発明は、言及したやり方及び／又は前述のやり方以外の更に多くのやり方で変更することが可能である。前述の種々の実施例及び代替策は、非限定的な例である。しかし、本発明の範囲は、特許請求の範囲によってのみ限定される。
【００７４】
本発明の更なる実施例によれば、少なくとも１つのデータ・コンテンツ・ファイルを全面的又は部分的に消費するのに必要なバッテリ電力容量が、算出され、データ・コンテンツ・ファイルの消費のために利用可能なアクティビティ関連バッテリ電力容量Eに関係付けられる。この実施例では、データ・コンテンツ・ファイル毎に必要なバッテリ電力容量自体が判定される。所要バッテリ電力容量と、利用可能なバッテリ電力容量との比較に基づいて、データ・コンテンツ・ファイル全体をユーザによってアクセスすることが可能であるか否かについてのコンテンツ・ステータスが判定される。
【００７５】
本発明の更に別の実施例によれば、アクティビティ関連バッテリ電力容量Eが、特定の形式FORMATの場合の分毎のバッテリ電力消費EFORMATに関係付けられ、J/sの単位でのSFORMATが得られる。この得られたパラメータから、利用可能なアクティビティ関連バッテリ電力容量によってサポートすることが可能な形式毎に持続時間が判定される。各メディア・ファイル（オーディオやビデオなど）の長さの情報は、前述のファイルの記憶装置から容易に得ることができるので、前述の比較は、本発明によるコンテンツ・ステータス情報の供給中に有益であり得る。
【００７６】
本発明の別の実施例では、一実施例による方法において備えられる工程の相対的な順序は、方法の効果又は結果に負の影響を及ぼすことなく変えられる。
【００７７】
本発明は、少なくとも１つのデータ・コンテンツ・ファイルに関するステータス情報を供給する方法に関する。一代替策では、しかし、本発明は、データ・コンテンツ・ファイルが、アクセス可能であるか、ロックされているか、又は一部若しくは全部が失われたかという実際の決定を行うことにも関し得る。
【００７８】
「Comprising」や「comprise」は、他の構成要素、工程、装置等を排除するものでない。
【００７９】
「A」又は「an」は、それぞれのアイテムが複数存在することを排除するものでない。
【００８０】
単一のプロセッサ又は他の処理装置は、特許請求の範囲記載のいくつかの装置の機能を満たすことができる。
【００８１】
特許請求の範囲における参照符号は、その範囲を限定するものと解されないものとする。
【００８２】
本発明による、少なくとも１つのデータ・コンテンツ・ファイルに関するコンテンツ・ステータス関連情報を供給する方法、コンテンツ・ステータス情報供給装置、ポータブル電子装置、コンピュータ・プログラム及びコンピュータ・プログラム・エレメントは以下の利点を有している。
【００８３】
ユーザには、データ・コンテンツのステータスを知ることを可能にする情報が供給される。
【００８４】
本発明は、バッテリ容量値に応じてコンテンツ・ステータスをユーザに供給する工程を更に提供する。
【００８５】
バッテリ電力容量が、得られたバッテリ電力容量によって消費可能なファイル容量に変換され、利用可能なデータ・コンテンツの容量との簡単な比較が可能になり得るということは、更なる利点である。
【００８６】
少なくとも１つのデータ・コンテンツ・ファイルがどの程度までアクセス可能であるかという情報を供給することは利点である。これによって、データ・コンテンツ・ファイルが部分的にのみアクセス可能であるようにすることが可能になるからである。
【００８７】
容量関連の規制量が第１の閾値よりも小さい場合に、少なくとも１つのデータ・コンテンツ・ファイル全体の量がユーザにアクセス可能でないという情報を提供することも利点である。少なくとも１つのデータ・コンテンツ・ファイルがユーザにロックされている場合に、この情報を供給することができるからである。
【００８８】
本発明は、バッテリ容量レベルが、保持レベル又はデータ喪失関連レベルそれぞれに達した場合、データがロックされているという情報、及びデータが失われたという情報を供給するという別の利点を有する。
【図面の簡単な説明】
【００８９】
【図１】本発明の一実施例によるポータブル電子装置を示す概略図である。
【図２】本発明の一実施例に関し、少なくとも１つのデータ・コンテンツ・ファイルに関するステータス情報を供給する方法を示す流れ図である。
【図３】３つのビデオ・ファイルのコンテンツ・ステータスを略示する、バーの図である。
【図４Ａ】ポータブル電子装置の全体コンテンツのコンテンツ・ステータス図である。
【図４Ｂ】ポータブル電子装置の全体コンテンツのコンテンツ・ステータス図である。
【図４Ｃ】ポータブル電子装置の全体コンテンツのコンテンツ・ステータス図である。
【図５】本発明の一実施例によるコンピュータ・プログラムを略示する図である。
【図１】
2008513872.tif 000010
【図２】
2008513872.tif 000011
【図３】
2008513872.tif 000012
【図４Ａ】
2008513872.tif 000013
【図４Ｂ】
2008513872.tif 000014
【図４Ｃ】
2008513872.tif 000015
【図５】
2008513872.tif 000016
【国際調査報告】
2008513872.tif 000017
2008513872.tif 000018